(57)【特許請求の範囲】
【請求項１】
複数の遊技用装置に挿入された紙葉が収納される可搬型の紙葉収納装置であって、
各種の情報を記憶する記憶部と、
前記情報を無線通信により携帯装置へ送信可能な無線通信部と
を具備する紙葉収納装置。
【請求項２】
紙葉が収納される紙葉収納装置と、
複数の遊技用装置に挿入された紙葉を自動で前記紙葉収納装置に収納可能にする紙葉管理装置とを具備する紙葉取扱システムであって、
前記紙葉収納装置は、
可搬型であり、
各種の情報を記憶する記憶部と、
前記情報を無線通信により携帯装置へ送信可能な無線通信部とを備える
紙葉取扱システム。
【請求項３】
紙葉を挿入可能であり、挿入された紙葉に応じた入金情報を外部装置へ送信する複数の遊技用装置と、
紙葉が収納される紙葉収納装置と、
複数の前記遊技用装置に挿入された紙葉を自動で前記紙葉収納装置に収納可能にする紙葉管理装置とを具備する紙葉取扱システムであって、
前記紙葉収納装置は、
可搬型であり、
各種の情報を記憶する記憶部と、
前記情報を無線通信により携帯装置へ送信可能な無線通信部とを備える
紙葉取扱システム。
【請求項４】
前記紙葉収納装置は、施錠可能な金庫ユニットに収納可能であり、
前記紙葉管理装置は、前記金庫ユニットに前記紙葉収納装置が収納された状態で、前記遊技用装置に挿入された紙葉を自動で前記紙葉収納装置に収納可能にする
請求項２または３に記載の紙葉取扱システム。
【請求項５】
複数の遊技用装置に挿入された紙葉が収納される紙葉収納装置の移送方法であって、
前記紙葉収納装置に収納された合計金額が特定できる紙葉情報を、前記紙葉収納装置から携帯装置を用いて無線通信により読み出すステップと、
複数の前記遊技用装置から送信された入金情報に基づいて、前記紙葉収納装置に収納された合計金額を特定するステップと、
前記紙葉情報から特定された合計金額と、前記入金情報から特定された合計金額とを照合するステップと
を具備する移送方法。
【発明の詳細な説明】
【技術分野】
【０００１】
本発明は、紙葉収納装置、紙葉取扱システム及び紙葉収納装置の移送方法に関する。
【背景技術】
【０００２】
従来から、遊技場で使用された紙葉（例えば、紙幣）を収納する紙葉収納装置が提供される。例えば特許文献１には、持運び可能な紙葉収納装置が開示される。以上の構成では、紙葉収納装置を安全な場所（例えば、バックヤード）へ移送させた後に、紙葉収納装置から紙葉を取出す作業が実施できるという利点がある。
【先行技術文献】
【特許文献】
【０００３】
【特許文献１】特許第６５０５２９８号
【発明の概要】
【発明が解決しようとする課題】
【０００４】
従来技術において、紙葉収納装置に各種の情報を記憶する構成が採用される場合があった。紙葉収納装置が記憶する情報を読み出す場合、予め定められた読取装置が設置される場所まで当該紙葉収納装置を移送し、且つ、当該紙葉収納装置と読取装置とを有線接続させる必要がある。しかし、紙葉収納装置が記憶する情報を簡単に読出し可能な構成が望まれていた。以上の事情を考慮して、本発明は、記憶された情報を簡単に読出し可能な紙葉収納装置を提供することを目的とする。
【課題を解決するための手段】
【０００５】
以上の課題を解決するために、本発明の紙葉収納装置は、複数の遊技用装置に挿入された紙葉が収納される可搬型の紙葉収納装置であって、各種の情報を記憶する記憶部と、情報を無線通信により携帯装置へ送信可能な無線通信部とを具備する。本発明によれば、例えば、紙葉収納装置が記憶する情報を読み出す場合、予め定められた読取装置が設置される場所まで当該紙葉収納装置を移送し、且つ、当該紙葉収納装置と読取装置とを有線接続させる必要がある構成と比較して、紙葉収納装置が記憶する情報を簡単に読出し可能になる。
【発明の効果】
【０００６】
本発明によれば、記憶された情報を簡単に読出し可能な紙葉収納装置が提供される。
【図面の簡単な説明】
【０００７】
【図１】紙幣取扱システムの各構成を説明するための図である。
【図２】遊技場における照合作業を説明するための図である。
【図３】警送会社における照合作業を説明するための図である。
【図４】紙幣取扱システムの機能ブロック図である。
【図５】各装置に記憶される各情報の具体例を説明するための図である。
【図６】紙幣情報の更新方法の具体例を説明するための図である。
【図７】照合作業において記憶される各情報を説明するための図である。
【図８】紙幣取扱システムの動作の具体例を説明するためのシーケンス図である。
【発明を実施するための形態】
【０００８】
図１は、本発明の紙葉収納装置（キャッシュボックス１０）が採用される紙幣取扱システムＳの各構成を説明するための図である。図１に示す通り、紙幣取扱システムＳの各構成は、遊技場Ｘに設置される各構成（キャッシュボックス１０など）および警送会社Ｙに設置される各構成（管理コンピュータ８０など）を含む。詳細には後述するが、遊技者が遊技場Ｘで使用した紙幣（遊技用装置４０に挿入された紙幣）は、移送担当者Ｋにより警送会社Ｙへ移送（警送）される。
【０００９】
図１に示す通り、遊技場Ｘには、各遊技用装置４０、紙幣搬送装置３０、金庫ユニットＵおよびホールコンピュータ５０が設置される。また、遊技場Ｘには複数の遊技機が設置される。図１には、遊技場Ｘに設置された複数の遊技機の一部が示される。遊技場Ｘには複数の遊技島Ｉが設けられる。各遊技機は遊技島Ｉの各々に設置される。なお、遊技機としては、パチスロ機、パチンコ機、および、カジノに設置されるスロットマシン等が想定される。
【００１０】
図１に示す通り、遊技場Ｘの遊技島Ｉには各遊技用装置４０が設置される。本実施形態では、遊技機毎に遊技用装置４０が設けられる。図１の具体例では、遊技用装置４０は、当該遊技用装置４０に対応する遊技機の左側に隣接して設けられる。
【００１１】
遊技用装置４０は、当該遊技用装置４０に対応する遊技機と通信可能に接続される。また、遊技用装置４０には、紙幣挿入口４１が設けられる。遊技用装置４０は、紙幣挿入口４１に挿入された複数種類の紙幣を受付け可能に構成される。紙幣挿入口４１に紙幣が挿入されると、遊技用装置４０が遊技媒体（遊技球、遊技メダル、ポイント）を遊技者に貸出可能になる。遊技者は、遊技用装置４０から貸出された遊技媒体を用いて遊技する。
【００１２】
図１に示す通り、遊技島Ｉは、紙幣搬送装置３０および金庫ユニットＵを含んで構成される。遊技用装置４０（紙幣挿入口４１）に挿入された紙幣は、紙幣搬送装置３０により金庫ユニットＵへ自動で搬送される。具体的には、遊技用装置４０に挿入された紙幣は、当該遊技用装置４０の裏側（遊技島Ｉの内部側）へ排出される。また、紙幣搬送装置３０は、遊技用装置４０から排出された紙幣を自動で内部に取込む。その後、紙幣搬送装置３０は、遊技用装置４０から取込んだ紙幣を金庫ユニットＵまで自動で搬送する。
【００１３】
以上の紙幣搬送装置３０としては、例えば、特開２００９−１０１１７１号公報に記載の紙幣搬送装置が採用され得る。以上の紙幣搬送装置では、ベルトコンベアにより紙幣が搬送される。ただし、紙幣搬送装置３０として、空気流により紙幣が搬送される紙幣搬送装置を採用してもよい（例えば、特許第６３３９７３２号参照）。
【００１４】
空気流により紙幣が搬送される紙幣搬送装置３０では、ベルトコンベアにより紙幣が搬送される紙幣搬送装置３０と比較して、高速で紙幣が搬送される。すなわち、紙幣搬送装置３０から金庫ユニットＵまで紙幣を移動するのに要する時間が短縮される。したがって、空気流により紙幣が搬送される紙幣搬送装置３０によれば、紙幣搬送装置３０から金庫ユニットＵまで移動する期間に紙幣が不正に抜き取られるリスクを低減できる利点がある。
【００１５】
図１に示す通り、金庫ユニットＵは、遊技島Ｉの一端（妻板）に設けられる。紙幣搬送装置３０により搬送された紙幣は、金庫ユニットＵで受付られる。以上の金庫ユニットＵは、遊技島Ｉに設けられた全ての遊技用装置４０からの紙幣を受付ける。なお、本実施形態では、１個の遊技島Ｉに対して１個の金庫ユニットＵが設けられる構成を想定する。ただし、複数個の遊技島Ｉに対して１個の金庫ユニットＵが設けられる構成としてもよい。以上の金庫ユニットＵは、複数個の遊技島Ｉの各遊技用装置４０から搬送されてきた紙幣を受付可能である。
【００１６】
金庫ユニットＵは、キャッシュボックス１０（後述の紙幣収納装置１００）および制御ユニット２０（後述の紙幣管理装置２００）を含んで構成される。キャッシュボックス１０は、持運び可能（可搬型）であり、金庫ユニットＵの内部に着脱可能に設けられる。具体的には、金庫ユニットＵは施錠可能な扉部を具備する。扉部が解錠（開放）された場合、金庫ユニットＵ内部のキャッシュボックス１０が着脱可能になる。
【００１７】
図１には、キャッシュボックス１０の外観斜視図が示される。図１に示す通り、キャッシュボックス１０は、ＲＦタグ１１、箱部材１２、蓋部材１３、施錠装置１４および紙幣取込口１５を含んで構成される。金庫ユニットＵで受付けられた紙幣は、紙幣取込口１５からキャッシュボックス１０の内部に自動で取込まれる。箱部材１２は、略直方体の部材であり、キャッシュボックス１０の内部と連通する開口が左側面に設けられる。
【００１８】
キャッシュボックス１０の蓋部材１３は、箱部材１２の開口側の側面に着脱可能である。箱部材１２に蓋部材１３を装着することにより、箱部材１２の開口が塞がれる。また、箱部材１２に蓋部材１３を装着した状態で、施錠装置１４を施錠すると、箱部材１２から蓋部材１３が取外せなくなる。施錠装置１４を解錠すると、箱部材１２から蓋部材１３が取外し可能になる。以上の構成では、キャッシュボックス１０の施錠装置１４を解錠することにより、開口からキャッシュボックス１０に収納された紙幣を取出し可能になる。
【００１９】
上述した通り、本実施形態では、遊技場Ｘで使用された紙幣が警送会社Ｙへ移送される。具体的には、各遊技用装置４００に挿入された紙幣は、キャッシュボックス１０へ自動で収納される。移送担当者Ｋは、キャッシュボックス１０を遊技場Ｘから警送会社Ｙへ移送する。
【００２０】
本実施形態では、遊技場Ｘにおいてキャッシュボックス１０（施錠装置１４）は原則解錠されず、キャッシュボックス１０は施錠された状態で警送会社Ｙへ移送される。すなわち、キャッシュボックス１０に収納された紙幣（遊技用装置４０に挿入された紙幣）は、遊技場Ｘでは取出されない。警送会社Ｙにおいて、キャッシュボックス１０から紙幣が取出される。
【００２１】
キャッシュボックス１０のＲＦタグ１１は、当該キャッシュボックス１０を移送する際に確認すべき各種の情報を記憶する。例えば、ＲＦタグ１１は、キャッシュボックス１０に収納された合計金額が特定される紙幣情報Ｄａを記憶する。以上の紙幣情報Ｄａは、遊技島Ｉの各遊技用装置４０に挿入された合計金額が特定される情報であるとも換言される。
【００２２】
ＲＦタグ１１は、リーダライタ装置６０と無線通信可能である。リーダライタ装置６０から読出し信号をＲＦタグ１１が受信すると、ＲＦタグ１１から各種の情報（例えば、紙幣情報Ｄａ）が送信される。また、リーダライタ装置６０から書込み信号をＲＦタグ１１が受信すると、ＲＦタグ１１に各種の情報（例えば、後述の担当者識別子Ｄｉ）が書込まれる。
【００２３】
本実施形態のＲＦタグ１１は、パッシブ型のＲＦタグが採用される。ただし、ＲＦタグ１１として、アクティブ型のＲＦタグを採用してもよいし、セミアクティブ型のＲＦタグを採用してもよい。また、ＲＦタグ１１と他の装置とで送受信される各信号（電波）の周波数は適宜に変更できる。さらに、キャッシュボックス１０にＧＰＳ（Global Positioning System）装置を設けてもよい。以上の構成では、仮にキャッシュボックス１０が紛失された（盗難された）場合であっても、キャッシュボックス１０の現在地を特定できる。
【００２４】
金庫ユニットＵの制御ユニット２０は、紙幣搬送装置３０を制御する。具体的には、制御ユニット２０は、紙幣搬送装置３０の駆動部（モータ等）を駆動させる制御を実行する。以上の制御により、遊技用装置４０に挿入された紙幣が金庫ユニットＵまで搬送される。
【００２５】
金庫ユニットＵに紙幣が搬送されると、制御ユニット２０は、金庫ユニットＵの内部に設けられた駆動部を駆動させる制御を実行する。以上の制御により、遊技用装置４０から金庫ユニットＵへ搬送された紙幣が、キャッシュボックス１０の紙幣取込口１５へ移動する。その後、制御ユニット２０は、キャッシュボックス１０のローラ等を適宜に回転させて、紙幣取込口１５へ移動した紙幣をキャッシュボックス１０の内部に取込む。
【００２６】
また、制御ユニット２０は、金庫ユニットＵにキャッシュボックス１０が装着された状態で、当該キャッシュボックス１０のＲＦタグ１１と電気的に（有線通信可能に）接続される。例えば、キャッシュボックス１０に紙幣が取込まれると、制御ユニット２０は、紙幣情報Ｄａを書き換える信号をＲＦタグ１１へ送信する。ただし、制御ユニット２０とＲＦタグ１１とが無線通信可能な構成としてもよい。以上の構成では、制御ユニット２０からＲＦタグ１１へ書込み信号および読出し信号が無線通信により送信される。
【００２７】
以上の通り本実施形態では、制御ユニット２０からの信号に応じてＲＦタグ１１の各情報が書き換えられる構成を採用した。なお、制御ユニット２０とは別の制御装置がＲＦタグ１１の各情報を書き換える構成を採用してもよい。また、キャッシュボックス１０に処理装置（ＣＰＵ）を設け、キャッシュボックス１０の処理装置がＲＦタグ１１の各情報を書き換える構成としてもよい。
【００２８】
リーダライタ装置６０は、移送担当者Ｋにより携帯される。上述した通り、リーダライタ装置６０は、ＲＦタグ１１から各種の情報を無線通信により読出すとともに、各種の情報を無線通信によりＲＦタグ１１に書込む。また、リーダライタ装置６０は、ディスプレイ６１を具備する。以上のディスプレイ６１は、例えば、ＲＦタグ１１から読み出された情報に応じた画像を表示する。
【００２９】
ホールコンピュータ５０は、上述の遊技用装置４０と通信可能である。なお、ホールコンピュータ５０が中継装置を介して遊技用装置４０と通信可能な構成としてもよい。遊技用装置４０からホールコンピュータ５０へ各種の情報が送信される。例えば、遊技用装置４０へ紙幣が挿入されると、当該紙幣の金種を示す情報（以下「入金情報」という）がホールコンピュータ５０へ送信される。
【００３０】
ホールコンピュータ５０は、入金情報を受信すると、当該入金情報から特定される金種に応じて紙幣情報Ｄｘを更新する。具体的には、ホールコンピュータ５０は、遊技島Ｉ毎に紙幣情報Ｄｘを記憶する。以上の構成は、金庫ユニットＵ（キャッシュボックス１０）毎に紙幣情報Ｄｘが記憶されるとも換言される。遊技島Ｉの遊技用装置４０から入金情報を受信すると、当該遊技用装置４０に挿入した紙幣を収納するキャッシュボックス１０に対応する紙幣情報Ｄｘが更新される。
【００３１】
ホールコンピュータ５０の紙幣情報Ｄｘは、上述したキャッシュボックス１０（ＲＦタグ１１）の紙幣情報Ｄａと同様に、遊技島Ｉの各遊技用装置４０に挿入された合計金額が特定可能な情報である。したがって、キャッシュボックス１０の紙幣情報Ｄａから特定される合計金額とホールコンピュータ５０の紙幣情報Ｄｘから特定される合計金額とは、一致するのが通常である。詳細には後述するが、キャッシュボックス１０を警送会社Ｙへ移送する際に、キャッシュボックス１０の紙幣情報Ｄａとホールコンピュータ５０の紙幣情報Ｄｘとが照合される。
【００３２】
図１に示す通り、警送会社Ｙには、計数装置７０および管理コンピュータ８０が設けられる。上述した通り、遊技場Ｘから警送会社Ｙへキャッシュボックス１０が移送される。警送会社Ｙにおいて、キャッシュボックス１０から紙幣が取り出され、計数装置７０により計数される。
【００３３】
警送会社Ｙの管理コンピュータ８０は、遊技場Ｘから移送されたキャッシュボックス１０と通信可能に接続される。また、管理コンピュータ８０は、キャッシュボックス１０のＲＦタグ１１から紙幣情報Ｄａを読み出す。警送会社Ｙでは、管理コンピュータ８０が読み出した紙幣情報Ｄａから特定される合計金額と、計数装置７０により実際に計数された合計金額とが照合される。
【００３４】
なお、遊技場Ｘで遊技用装置４０に挿入された金額の全てを使用する前に、遊技者が遊技を中止する場合がある。以上の場合、残金が記憶されるＩＣカードが遊技用装置４０から排出される。遊技者は、残金が記憶されるＩＣカードを、遊技場Ｘに設置された精算機に挿入することで、残金（清算金）を受取ることができる。
【００３５】
ただし、遊技用装置４０に挿入された紙幣は、当該紙幣の金額を遊技者が使用する前に紙幣収納装置１００へ搬送され収納される。したがって、遊技者が遊技用装置４０に挿入した紙幣とは別に、清算金用の金銭を精算機に収納する必要がある。以上の構成において、精算機に補充される金銭が準備金として遊技場Ｘから警送会社Ｙへ預けられる構成としてもよい。例えば、警送会社Ｙの従業員は、必要に応じて、準備金を遊技場Ｘまで警送し精算機に補充する。
【００３６】
図２は、遊技場Ｘで使用された紙幣が警送されるまでの具体例を説明するための図である。なお、図２において、紙幣が移動する経路を矢印で示す。具体的には、紙幣が移動する経路のうち、キャッシュボックス１０までの経路を黒色の実線または破線の矢印で示す。また、紙幣が収納されたキャッシュボックス１０が移動する経路を白色の矢印で示す。
【００３７】
図２に示す通り、遊技機で遊技する際に、遊技者は遊技用装置４０（紙幣挿入口４１）に紙幣を挿入する（図２の矢印（Ａ））。各遊技用装置４０に挿入された紙幣は、図２に示す通り、紙幣搬送装置３０の内部を通り金庫ユニットＵまで搬送され、キャッシュボックス１０に自動で収納される（図２の矢印（Ｂ））。なお、図２の矢印（Ｂ）に示す経路は、遊技島Ｉ（紙幣搬送装置３０、金庫ユニットＵ）の内部に位置する。したがって、当該経路を移動する紙幣に人が触れることは原則できない。
【００３８】
各遊技用装置４０からの紙幣が収納されたキャッシュボックス１０は、金庫ユニットＵから回収（取外）される（図２の矢印（Ｃ））。具体的には、遊技場Ｘの営業期間において、キャッシュボックス１０は金庫ユニットＵに収納され、金庫ユニットＵは施錠される。また、キャッシュボックス１０を回収する作業は、遊技場Ｘの営業期間が終了した後に実施される。キャッシュボックス１０を回収する際に、金庫ユニットＵが解錠される。なお、金庫ユニットＵの鍵は、例えば、遊技場Ｘの管理者により保管される。ただし、金庫ユニットＵの鍵を移送担当者Ｋが所持する構成としてもよい。
【００３９】
キャッシュボックス１０が取外された後に、移送担当者Ｋは、リーダライタ装置６０によりＲＦタグ１１に書込み信号を送信する（図２の（Ｄ））。以上の書込み信号によりＲＦタグ１１に担当者識別子Ｄｉが書込まれる。担当者識別子Ｄｉは、移送担当者Ｋを識別するための情報である。以上の構成によれば、ＲＦタグ１１の担当者識別子Ｄｉを読み出すことで、キャッシュボックス１０を移送した移送担当者Ｋが事後的に把握できるという利点がある。
【００４０】
ＲＦタグ１１は、リーダライタ装置６０からの読出し信号に応じて、紙幣情報Ｄａを送信する（図２の（Ｅ））。リーダライタ装置６０は、紙幣情報Ｄａを受信すると、当該紙幣情報Ｄａから特定されるキャッシュボックス１０に収納されている合計金額をディスプレイ６１に表示する。
【００４１】
本実施形態では、遊技場Ｘにおいて、移送担当者Ｋの認証が実施される。具体的には、遊技場Ｘに専用の認証装置が設けられる。以上の認証装置では、生体情報（指紋など）により移送担当者Ｋが認証される。ただし、移送担当者Ｋを認証するための構成は適宜に変更できる。
【００４２】
例えば、パスワードによる認証、または、顔写真付きの身分証（ＩＤカード）により移送担当者Ｋを認証してもよい。また、キャッシュボックス１０において、移送担当者Ｋを認証するための処理が実行される構成を採用してもよい。以上の構成では、移送担当者Ｋが認証されたことを条件に、紙幣情報Ｄａを含む各情報がＲＦタグ１１から読出し可能な構成を採用してもよい。
【００４３】
移送担当者Ｋは、キャッシュボックス１０から紙幣情報Ｄａが読み出された後に、当該紙幣情報Ｄａから特定される合計金額とホールコンピュータ５０の紙幣情報Ｄｘから特定される合計金額とを照合する（図２の（Ｆ））。以上の照合作業は、遊技場Ｘに設置された他のキャッシュボックス１０についても実施される。なお、以上の照合作業を遊技場Ｘの管理者が実施してもよいし、遊技場Ｘの管理者および移送担当者Ｋの双方が実施してもよい。
【００４４】
遊技場Ｘにおける照合作業は、適宜な方法で実施される。例えば、紙幣情報Ｄａから特定される合計金額がリーダライタ装置６０のディスプレイ６１に表示され、紙幣情報Ｄｘから特定される合計金額がホールコンピュータ５０に接続されたディスプレイに表示される構成を想定する。以上の構成では、各ディスプレイに表示された合計金額を照合してもよい。
【００４５】
また、紙幣情報Ｄａから特定される合計金額を印刷した紙を出力可能なリーダライタ装置６０を採用し、印刷された合計金額を用いて照合作業を実施してもよい。同様に、紙幣情報Ｄｘから特定される合計金額を紙に印刷して、印刷された合計金額を用いて照合作業を実施してもよい。照合の結果、各合計金額が一致することが確認されると、移送担当者Ｋは、遊技場Ｘから警送会社Ｙへキャッシュボックス１０を移送（警送）する（図２の矢印（Ｇ））。
【００４６】
以上の本実施形態によれば、遊技場Ｘにおいて、遊技用装置４０に挿入された紙幣は、原則、人の手に直接触れることが無い。したがって、本実施形態によれば、遊技場Ｘにおいて遊技者が使用した紙幣が不正に抜き取られる不都合が抑制される。
【００４７】
図３は、警送会社Ｙにおける紙幣の取扱の具体例を説明するための図である。上述した通り、遊技場Ｘから警送会社Ｙへキャッシュボックス１０が移送される。また、キャッシュボックス１０は施錠装置１４により施錠される。
【００４８】
本実施形態では、キャッシュボックス１０を解錠する鍵が警送会社Ｙに保管され、警送会社Ｙにおいてキャッシュボックス１０が解錠される。その後、キャッシュボックスに収納された合計金額が計数装置７０により計数される（図３の（Ｈ））。なお、警送会社Ｙに複数のキャッシュボックス１０が移送された場合、キャッシュボックス１０毎に（別々に）合計金額が計数される。
【００４９】
図３に示す通り、警送会社Ｙにおいて、キャッシュボックス１０と管理コンピュータ８０とが通信可能に接続される。上述した通り、管理コンピュータ８０は、キャッシュボックス１０から各種の情報を読み出す。例えば、管理コンピュータ８０は、紙幣情報Ｄａをキャッシュボックス１０（ＲＦタグ１１）から読み出す。警送会社Ｙにおいて、管理コンピュータ８０がＲＦタグ１１から読出した紙幣情報Ｄａにより特定される合計金額と計数装置７０により計数された実際の合計金額とが照合される（図３の（Ｉ））。
【００５０】
以上の説明から理解される通り、本実施形態では、ＲＦタグ１１に記憶される紙幣情報Ｄａから特定される合計金額は、遊技場Ｘにおいて紙幣情報Ｄｘから特定される合計金額と照合されるとともに、警送会社Ｙにおいて実際に計数された合計金額と照合される。以上の構成によれば、例えば遊技場Ｘおよび警送会社Ｙの何れか一方のみで照合作業が実施される構成と比較して、ＲＦタグ１１に記憶される紙幣情報Ｄａの信頼性が向上するという効果は格別に顕著である。
【００５１】
なお、警送会社Ｙにおいて、キャッシュボックス１０のＲＦタグ１１から無線通信により紙幣情報Ｄａが読み出される構成としてもよい。また、警送会社Ｙにおいて紙幣情報Ｄａが読み出された場合、ログ情報がＲＦタグ１１に自動で記憶される構成としてもよい。以上のログ情報からは、例えば、紙幣情報Ｄａが読み出された時刻が特定される。同様に、キャッシュボックス１０が管理コンピュータ８０に接続された場合、ログ情報がＲＦタグ１１に自動で記憶される構成としてもよい。以上のログ情報からは、例えば、キャッシュボックス１０が管理コンピュータ８０に接続された時刻が特定される。
【００５２】
図４は、本実施形態の紙幣取扱システムＳの機能ブロック図である。具体的には、図４には、紙幣取扱システムＳの各構成のうち、遊技場Ｘで用いられる各構成が抜粋して示される。なお、図４において、紙幣の移動経路が実線の矢印で示され、データの通信経路が破線の矢印で示される。
【００５３】
図４に示す通り、本実施形態の紙幣取扱システムＳは、紙幣収納装置１００、紙幣管理装置２００、紙幣搬送装置３００、遊技用装置４００、ホール管理装置５００および携帯装置６００を含んで構成される。なお、紙幣取扱システムＳは、実際には複数の遊技用装置４００を含む。図４では、複数の遊技用装置４００のうちの１個が抜粋して表示される。
【００５４】
例えば、図１に示した金庫ユニットＵの制御ユニット２０のＣＰＵ（Central Processing Unit）がＲＯＭ（Read Only Memory）に記憶されたプログラムを実行することにより、紙幣管理装置２００として機能する。また、図１に示したキャッシュボックス１０は紙幣収納装置１００として機能する。また、例えばリーダライタ装置６０のＣＰＵがプログラムを実行することにより、携帯装置６００として機能する。同様に、紙幣搬送装置３０が紙幣搬送装置３００として機能し、遊技用装置４０が遊技用装置４００として機能し、ホールコンピュータ５０がホール管理装置５００として機能する。
【００５５】
紙幣収納装置１００は、持運び可能であるとともに、紙幣収納部１０１およびＲＦタグ１０２を含んで構成される。紙幣収納部１０１は、遊技用装置４００に挿入された紙幣が収納される。具体的には、図４に示す通り、遊技用装置４００に挿入された紙幣は、紙幣搬送装置３００により金庫ユニットＵに搬送され、その後、紙幣収納部１０１に収納される。
【００５６】
ＲＦタグ１０２は、記憶部１０３および無線通信部１０４を含んで構成される。例えば、図１に示したＲＦタグ１１がＲＦタグ１０２として機能する。ＲＦタグ１０２の記憶部１０３は、上述の紙幣情報Ｄａおよび担当者識別子Ｄｉを含む各種の情報（以下、単に「紙幣収納装置１００の情報」と記載する場合がある）を記憶可能である。なお、紙幣収納装置１００の情報の詳細は、後述の図５（ａ）を用いて説明する。ＲＦタグ１０２の無線通信部１０４は、携帯装置６００（無線通信部６０１）との無線通信に用いられる。
【００５７】
図４に示す通り、紙幣管理装置２００は、搬送制御部２０１、記憶部２０２および書込部２０３を含んで構成される。搬送制御部２０１は、紙幣搬送装置３００を制御して、遊技用装置４００に挿入された紙幣を金庫ユニットＵまで自動で搬送させる。また、搬送制御部２０１は、金庫ユニットＵに搬送された紙幣を、紙幣収納装置１００の紙幣収納部１０１へ自動で収納する。
【００５８】
紙幣管理装置２００の記憶部２０２は、上述の紙幣情報Ｄａを含む各種の情報（以下、単に「紙幣管理装置２００の情報」と記載する場合がある）を記憶する。本実施形態の紙幣情報Ｄａは、上述の搬送制御部２０１により紙幣収納部１０１に紙幣が収納される毎に更新される。また、紙幣管理装置２００の各情報うちの全てまたは一部は、紙幣収納装置１００の記憶部１０３にも書込まれる。
【００５９】
携帯装置６００は、無線通信部６０１、記憶部６０２、表示部６０３および制御部６０４を含んで構成される。携帯装置６００の無線通信部６０１は、上述の紙幣収納装置１００のＲＦタグ１０２と無線通信するのに用いられる。例えば、携帯装置６００からＲＦタグ１０２へ上述の担当者識別子Ｄｉが送信され、ＲＦタグ１０２から携帯装置６００へ紙幣情報Ｄａが送信される。
【００６０】
携帯装置６００の記憶部６０２は、各種の情報（以下、単に「携帯装置６００の情報」と記載する場合がある）を記憶する。例えば、携帯装置６００を所持する移送担当者Ｋに対応する担当者識別子Ｄｉが記憶部６０２に予め記憶される。なお、担当者識別子Ｄｉは、移送担当者Ｋを識別可能であれば足り、他の情報が適宜に採用され得る。例えば、携帯装置６００固有の情報（ＭＡＣアドレス（Media Access Control address）など）を担当者識別子Ｄｉとして採用してもよい。
【００６１】
携帯装置６００の表示部６０３は、各種の情報を表示する。例えば、記憶部６０２に記憶される紙幣情報Ｄａから特定される合計金額を表示する。携帯装置６００の制御部６０４は、各種の制御を実行する。例えば、携帯装置６００に対する操作に応じて、書き込み信号または読み込み信号を無線通信部６０１に送信させるための制御を制御部６０４が実行する。
【００６２】
図４に示す通り、ホール管理装置５００は、表示部５０１、記憶部５０２および制御部５０３を含んで構成される。ホール管理装置５００の記憶部５０２は、上述の紙幣情報Ｄｘを含む各種の情報（以下、単に「ホール管理装置５００の情報」と記載する場合がある）を記憶する。
【００６３】
ホール管理装置５００の表示部５０１は、各種の情報を表示する。例えば、記憶部５０２に記憶される紙幣情報Ｄｘから特定される合計金額が表示部５０１に表示される。制御部５０３は、各種の制御を実行する。例えば、制御部５０３は、各遊技用装置４００からの各種の信号を受信するための制御、および、ホール管理装置５００の情報を当該信号に応じて更新するための処理を実行する。
【００６４】
図５（ａ）は、紙幣収納装置１００（記憶部１０３）に記憶される各情報を説明するための図である。図５（ａ）に示す通り、紙幣収納装置１００は、紙幣情報Ｄａ、識別情報Ｄｂ、担当者識別子Ｄｉおよびイベント情報Ｄｃを含む各情報を記憶する。
【００６５】
紙幣情報Ｄａは、紙幣収納装置１００（紙幣収納部１０１）に収納された合計金額を特定可能な情報である。具体的には、紙幣情報Ｄａは、金額情報Ｄａ１および金種情報Ｄａ２を含んで構成される。金額情報Ｄａ１は、紙幣収納装置１００に収納された合計金額を示す。例えば、紙幣収納装置１００に１００万円が収納される場合、金額情報Ｄａ１は数値「１００００００」を示す。また、紙幣収納装置１００に１万円札が新たに収納されると、金額情報Ｄａ１に数値「１００００」が加算される。
【００６６】
金種情報Ｄａ２は、紙幣収納装置１００に収納された紙幣の金種と当該紙幣の枚数との組合せを示す。例えば、１００枚の１万円札および５０枚の千円札が紙幣収納装置１００に収納される旨を示す金種情報Ｄａ２を想定する。以上の金種情報Ｄａ２からは、紙幣収納装置１００に収納された合計金額が１０５００００円である旨が特定される。
【００６７】
以上の説明から理解される通り、紙幣収納装置１００に収納された合計金額は、金額情報Ｄａ１から特定可能であり、金種情報Ｄａ２からも特定可能である。したがって、各情報のうちの一方のみが紙幣情報Ｄａとして記憶される構成としてもよい。なお、紙幣情報Ｄａは、紙幣収納装置１００に収納された合計金額が特定されれば足り、他の情報を紙幣情報Ｄａとして採用してもよい。
【００６８】
識別情報Ｄｂは、紙幣収納装置１００を識別するための情報である。具体的には、識別情報Ｄｂは、店識別子Ｄｂ１、島識別子Ｄｂ２および装置識別子Ｄｂ３を含む。店識別子Ｄｂ１は、紙幣収納装置１００が設置される店舗（遊技場Ｘ）が識別される情報である。具体的には、店舗に固有の店識別子Ｄｂ１が付与される。また、店舗に設置される各紙幣収納装置１００には、当該店舗に付与された店識別子Ｄｂ１が記憶される。
【００６９】
島識別子Ｄｂ２は、紙幣収納装置１００が設置される遊技島Ｉを識別する情報である。具体的には、遊技島Ｉ毎に固有の島識別子Ｄｂ２が付与される。また、各遊技島Ｉに設置される各紙幣収納装置１００には、当該遊技島Ｉに付与された島識別子Ｄｂ２が記憶される。
【００７０】
以上の島識別子Ｄｂ２は、１個の遊技島Ｉに１個の金庫ユニットＵが設けられる構成においては、金庫ユニットＵが識別される情報であるとも換言される。また、紙幣収納装置１００が設置される遊技島Ｉが特定できれば、当該紙幣収納装置１００の遊技場Ｘにおける設置場所が実質的に特定される場合がある。以上の場合、島識別子Ｄｂ２は、遊技場Ｘのうち紙幣収納装置１００が設置される場所を識別する情報であるとも換言される。
【００７１】
なお、仮に複数の遊技島Ｉからの紙幣を１個の金庫ユニットＵが収納する構成では、紙幣収納装置１００が収納される金庫ユニットＵを識別できる情報を島識別子Ｄｂ２に替えて当該紙幣収納装置１００に記憶する。識別情報Ｄｂのうち装置識別子Ｄｂ３は、紙幣収納装置１００固有の情報である。例えば、紙幣収納装置１００の製造番号が装置識別子Ｄｂ３として採用され得る。
【００７２】
以上の識別情報Ｄｂは、適宜な時期において紙幣収納装置１００に記憶される。例えば、金庫ユニットＵの操作部を操作することにより、識別情報Ｄｂが紙幣収納装置１００に記憶される構成としてもよい。また、紙幣収納装置１００が製造される際に、当該紙幣収納装置１００に識別情報Ｄｂが製造者により予め記憶される構成としてもよい。
【００７３】
担当者識別子Ｄｉは、移送担当者Ｋを識別するための情報である。担当者識別子Ｄｉは、紙幣収納装置１００を移送（回収）する際に、移送担当者Ｋの携帯装置６００により書き込まれる。以上の担当者識別子Ｄｉによれば、上述した通り、紙幣収納装置１００の移送担当者Ｋを事後的に特定できる。したがって、紙幣収納装置１００を移送する際のセキュリティが向上する。なお、紙幣収納装置１００および紙幣管理装置２００の双方に識別情報Ｄｂが記憶される構成としてもよい。
【００７４】
イベント情報Ｄｃは、紙幣収納装置１００に生じたイベントを事後的に特定可能な情報である。例えば、紙幣収納装置１００の紙幣情報Ｄａから特定される合計金額と、ホール管理装置５００の紙幣情報Ｄｘから特定される合計金額とが一致しない場合を想定する。以上の場合、各合計金額が一致しない原因をイベント情報Ｄｃから特定（推測）する。イベント情報Ｄｃは、例えば、ホール管理装置５００または携帯装置６００により読取可能である。
【００７５】
図５（ａ）に示す通り、イベント情報Ｄｃは、起動時間Ｄｃ１、停止時間Ｄｃ２、収納ログＤｃ４、装着情報Ｄｃ５、回収情報Ｄｃ６および開放情報Ｄｃ７を含む。起動時間Ｄｃ１は、紙幣収納装置１００が収納された金庫ユニットＵに電源が投入された時刻を示す。停止時間Ｄｃは、金庫ユニットＵへの電源の供給が停止した時刻を示す。
【００７６】
収納ログＤｃ４は、紙幣収納装置１００に紙幣が収納された時刻を示す。例えば、紙幣収納装置１００に１００枚の紙幣が収納されると、各紙幣が収納された時刻を示す１００個の収納ログＤｃ４が記憶される。装着情報Ｄｃ５は、金庫ユニットＵに紙幣収納装置１００が装着された時刻を示す。また、回収情報Ｄｃ６は、金庫ユニットＵから紙幣収納装置１００が取外された時刻を示す。以上の各情報は、各イベントの発生時点（直前または直後を含む）において、紙幣管理装置２００により記憶される。なお、紙幣収納装置１００および紙幣管理装置２００の双方にイベント情報Ｄｃが記憶される構成としてもよい。
【００７７】
イベント情報Ｄｃの開放情報Ｄｃ７は、紙幣収納装置１００の扉部材が開錠された時刻を示す。以上の開放情報Ｄｃ７は、例えば、警送会社Ｙにおいて、紙幣収納装置１００に収納された紙幣を回収するために扉部材が開錠された際に、管理コンピュータ８０により記憶される。
【００７８】
図５（ｂ）は、ホール管理装置５００が記憶する各情報を説明するための図である。紙幣収納装置１００を移送する際に、当該紙幣収納装置１００の各情報とホール管理装置５００の各情報とが照合される。図５（ｂ）に示す通り、ホール管理装置５００は、紙幣情報Ｄｘ、識別情報Ｄｙおよび担当者識別子Ｄｋを記憶する。
【００７９】
ホール管理装置５００の以上の各情報（Ｄｘ、Ｄｙ、Ｄｋ）は、遊技場Ｘに設置された紙幣収納装置１００毎に記憶される。例えば、Ｎ（Ｎは正の整数）個の紙幣収納装置１００が遊技場Ｘに設置される場合を想定する。以上の場合、紙幣情報Ｄｘ、識別情報Ｄｙおよび担当者識別子Ｄｋの組合せがホール管理装置５００にＮ個記憶される。なお、遊技場Ｘにおける全ての紙幣収納装置１００が共通の移送担当者Ｋにより移送される場合、当該移送担当者Ｋを識別する１個の担当者識別子Ｄｋがホール管理装置５００に記憶される構成としてもよい。
【００８０】
紙幣情報Ｄｘは、紙幣収納装置１００の紙幣情報Ｄａと同様に、紙幣収納装置１００に収納される合計金額が特定される情報である。以上の紙幣情報Ｄｘは紙幣情報Ｄａと照合される。具体的には、紙幣情報Ｄｘは、金額情報Ｄｘ１および金種情報Ｄｘ２を含む。金額情報Ｄｘ１は、紙幣収納装置１００に収納される合計金額を示す。以上のホール管理装置５００の金額情報Ｄｘ１は、紙幣収納装置１００の金額情報Ｄａ１と照合される。金種情報Ｄｘ２は、紙幣収納装置１００に収納された紙幣の金種と当該紙幣の枚数との組合せを示す。以上のホール管理装置５００の金種情報Ｄｘ２は、紙幣収納装置１００の金種情報Ｄａ２と照合される。
【００８１】
ホール管理装置５００の識別情報Ｄｙは、紙幣収納装置１００の識別情報Ｄｂと同様に、紙幣収納装置１００を識別するための情報である。以上の識別情報Ｄｙは、紙幣収納装置１００の識別情報Ｄｂと照合される。具体的には、識別情報Ｄｙは、店識別子Ｄｙ１および島識別子Ｄｙ２を含む。店識別子Ｄｙ１からは、紙幣収納装置１００が設置される店舗が識別される。以上のホール管理装置５００の店識別子Ｄｙ１は、紙幣収納装置１００の店識別子Ｄｂ１と照合される。
【００８２】
島識別子Ｄｙ２からは、紙幣収納装置１００が設置される遊技島Ｉが識別される。以上のホール管理装置５００の島識別子Ｄｙ２は紙幣収納装置１００の島識別子Ｄｂ２と照合される。装置識別子Ｄｙ３は、紙幣収納装置１００固有の情報である。
【００８３】
装置識別子Ｄｙ３としては、例えば、紙幣収納装置１００の製造番号が採用され得る。以上のホール管理装置５００の装置識別子Ｄｙ３は紙幣収納装置１００の装置識別子Ｄｂ３と照合される。すなわち、本実施形態の具体例として、ホール管理装置５００および紙幣収納装置１００の双方に、当該紙幣収納装置１００の製造番号を記憶し、各製造番号を照合するという構成が採用され得る。
【００８４】
ホール管理装置５００の担当者識別子Ｄｋは、移送担当者Ｋを識別するための情報である。以上の担当者識別子Ｄｋは、紙幣収納装置１００の担当者識別子Ｄｉと照合される。以上のホール管理装置５００の各情報は、紙幣収納装置１００が移送される前に予め記憶される。
【００８５】
なお、図５（ｂ）に示す各情報の一部（例えば、識別情報Ｄｙ）がホール管理装置５００以外の装置に記憶され、他の一部（例えば、紙幣情報Ｄｘ）がホール管理装置に記憶される構成としてもよい。また、図５（ｂ）に示す各情報の全てがホール管理装置５００以外の装置に記憶される構成としてもよい。さらに、識別情報Ｄｙおよび担当者識別子Ｄｋの双方または一方が紙媒体に記載され、紙幣収納装置１００に記憶された情報（識別情報Ｄｂ、担当者識別子Ｄｉ）と照合される構成としてもよい。
【００８６】
図６は、紙幣収納装置１００の紙幣情報Ｄａ、紙幣管理装置２００の紙幣情報Ｄａおよびホール管理装置５００の紙幣情報Ｄｘを更新する具体例を説明するための図である。なお、図６には、紙幣が移動する経路が実践の矢印で示され、各装置で送受信される信号が破線の矢印で示される。
【００８７】
図６に示す通り、遊技用装置４００に紙幣が挿入されると（図６の（Ｓ１））、当該紙幣の金種を示す入金情報が、遊技用装置４００からホール管理装置５００へ送信される（図６の（Ｓ２））。入金情報を受信すると、ホール管理装置５００は、記憶部５０２に記憶される紙幣情報Ｄｘを更新する（図６の（Ｓ３））。紙幣情報Ｄｘが更新されると、入金情報で特定される金種の金額が紙幣情報Ｄｘから特定される合計金額に加算される。
【００８８】
遊技用装置４００へ挿入された紙幣は、金庫ユニットＵへ搬送される（図６の（Ｓ４））。金庫ユニットＵへ搬送された紙幣は、紙幣管理装置２００で金種が識別され、紙幣収納装置１００の紙幣収納部１０１に収納される（図６の（Ｓ５））。なお、遊技用装置４００へ挿入された紙幣の金種が紙幣搬送装置３００により識別される構成としてもよい。以上の構成では、金種を示す情報が紙幣搬送装置３００から紙幣管理装置２００へ送信される。
【００８９】
紙幣管理装置２００は、紙幣収納装置１００の紙幣収納部１０１に収納した紙幣の金種に応じて、記憶部２０２の紙幣情報Ｄａを更新する（図６の（Ｓ６））。紙幣情報Ｄａが更新されると、紙幣情報Ｄａから特定される合計金額に、紙幣収納部１０１に収納された金種の金額が加算される。その後、紙幣管理装置２００は、更新後の紙幣情報Ｄａにより、紙幣収納装置１００（記憶部１０３）の紙幣情報Ｄａを上書きする（図６の（Ｓ７））。
【００９０】
以上の説明から理解される通り、本実施形態によれば、紙幣管理装置２００の紙幣情報Ｄａが更新される毎に、紙幣収納装置１００の紙幣情報Ｄａが上書きされる。なお、紙幣管理装置２００の情報が、紙幣収納装置１００の記憶部１０３に記憶（上書きを含む）される契機は適宜に変更できる。例えば、以上の契機に加え、紙幣収納装置１００が金庫ユニットＵから取り外される契機、および、金庫ユニットＵへの電源の供給が停止する契機の双方または一方で、紙幣管理装置２００の紙幣情報Ｄａで紙幣収納装置１００の紙幣情報Ｄａが上書きされる構成としてもよい。
【００９１】
また、本実施形態によれば、紙幣収納装置１００（紙幣管理装置２００）の紙幣情報Ｄａから特定される合計金額、および、ホール管理装置５００の紙幣情報Ｄｘから特定される合計金額は紙幣収納部１０１に実際に収納された合計金額と一致する。したがって、紙幣収納装置１００の紙幣情報Ｄａから特定される合計金額とホール管理装置５００の紙幣情報Ｄｘから特定される合計金額とを照合することで、紙幣収納装置１００の紙幣情報Ｄａから特定される合計金額の信頼性が向上する。
【００９２】
図７（ａ）から図７（ｄ）は、紙幣収納装置１００を移送する前に遊技場Ｘで実施される照合作業において、各装置に記憶される各情報の具体例を説明するための図である。なお、図７（ａ）から図７（ｃ）の具体例では、金庫ユニットＵから取外された紙幣収納装置１００を想定する。
【００９３】
図７（ａ）は、照合作業を開始する前の期間において、紙幣収納装置１００および携帯装置６００に記憶される各情報を説明するための図である。図７（ａ）に示す通り、携帯装置６００（記憶部６０２）には、移送担当者Ｋが識別される担当者識別子Ｄｉが予め記憶される。また、紙幣収納装置１００（記憶部１０３）には、上述の紙幣情報Ｄａ（金額情報Ｄａ１、金種情報Ｄａ２）および識別情報Ｄｂ（店識別子Ｄｂ１、島識別子Ｄｂ２、装置識別子Ｄｂ３）が記憶される。
【００９４】
図７（ｂ）は、携帯装置６００から書込み信号を紙幣収納装置１００（ＲＦタグ１０２）が受信した直後の具体例である。携帯装置６００から書込み信号を紙幣収納装置１００が受信すると、図７（ｂ）に示す通り、紙幣収納装置１００に担当者識別子Ｄｉが記憶される。なお、紙幣収納装置１００に記憶された担当者識別子Ｄｉは、適宜な時期に消去される。例えば、警送会社Ｙにおける照合作業が終了した後に、紙幣収納装置１００に記憶された担当者識別子Ｄｉを消去してもよい。
【００９５】
図７（ｃ）は、携帯装置６００から読込み信号を紙幣収納装置１００が受信した後の具体例である。携帯装置６００から読込み信号を紙幣収納装置１００が受信すると、図７（ｃ）に示す通り、紙幣収納装置１００が記憶する紙幣情報Ｄａおよび識別情報Ｄｂが携帯装置６００に記憶される。
【００９６】
なお、携帯装置６００に記憶された紙幣情報Ｄａおよび識別情報Ｄｂは、適宜な時期に消去される。例えば、紙幣情報Ｄａおよび識別情報Ｄｂが新たに読込まれた場合、前回読込まれた紙幣情報Ｄａおよび識別情報Ｄｂが上書きされる構成が考えられる。ただし、紙幣収納装置１００から読込まれた紙幣情報Ｄａおよび識別情報Ｄｂを携帯装置６００が蓄積して（履歴情報として）記憶可能な構成としてもよい。以上の構成では、紙幣収納装置１００から紙幣情報Ｄａおよび識別情報Ｄｂが読込まれる毎に、以上の各情報に現時刻を示す情報を対応させて記憶する構成が好適である。
【００９７】
図７（ｄ）は、遊技場Ｘにおける照合作業で照合される各情報を説明するための図である。上述した通り、携帯装置６００の担当者識別子Ｄｉは、ホール管理装置５００（記憶部５０２）の担当者識別子Ｄｋと照合される。また、携帯装置６００の紙幣情報Ｄａは、ホール管理装置５００の紙幣情報Ｄｘと照合される。同様に、携帯装置６００の識別情報Ｄｂは、ホール管理装置５００の識別情報Ｄｙと照合される。
【００９８】
図８（ａ）は、紙幣取扱システムＳの動作の具体例を説明するための図である。図８（ａ）に示す通り、移送担当者Ｋの操作に応じて、担当者識別子Ｄｉを含む書込み信号が携帯装置６００から紙幣収納装置１００へ送信される（Ｓ１１）。紙幣収納装置１００は、書込み信号を受信すると、記憶部１０３に担当者識別子Ｄｉを記憶する（Ｓ１２）。
【００９９】
また、移送担当者Ｋの操作に応じて、読込み信号が携帯装置６００から紙幣収納装置１００へ送信される（Ｓ１３）。紙幣収納装置１００は、読込み信号を受信すると、記憶部１０３に記憶される紙幣情報Ｄａ（１、２）および識別情報Ｄｂ（１〜３）を携帯装置６００へ送信する（Ｓ１４）。
【０１００】
携帯装置６００は、紙幣収納装置１００から受信した紙幣情報Ｄａおよび識別情報Ｄｂを記憶部６０２に記憶する（Ｓ１５）。また、携帯装置６００は、紙幣収納装置１００から受信した担当者識別子Ｄｉ、紙幣情報Ｄａおよび識別情報Ｄｂに応じた画像（後述の図８（ｂ−１）参照）を表示部６０３に表示するための表示処理（Ｓ１６）を実行する。
【０１０１】
ホール管理装置５００は、例えば遊技場Ｘの管理者の操作により、記憶部５０２に記憶される担当者識別子Ｄｋ、紙幣情報Ｄｘおよび識別情報Ｄｂに応じた画像（後述の図８（ｂ−２）参照）を表示部に表示させるための表示処理（Ｓ１７）を実行する。遊技場Ｘにおける照合作業では、上述のステップＳ１６により表示された画像の各情報、および、ステップＳ１７により表示された画像の各情報が照合される。
【０１０２】
図８（ｂ−１）は、図８（ａ）のステップＳ１６により携帯装置６００に表示される画像の模擬図である。上述した通り、携帯装置６００には、紙幣収納装置１００から読込まれた担当者識別子Ｄｉ、紙幣情報Ｄａおよび識別情報Ｄｂに応じた画像が表示される。具体的には、担当者識別子Ｄｉに応じた「担当者ＩＤ」、識別情報Ｄｂのうち店識別子Ｄｂ１に応じた「店ＩＤ」、島識別子Ｄｂ２に応じた「島ＩＤ」、装置識別子Ｄｂ３に応じた「装置ＩＤ」が携帯装置６００に表示される。また紙幣情報Ｄａから特定される合計金額が携帯装置６００に表示される。
【０１０３】
図８（ｂ−２）は、図８（ａ）のステップＳ１７によりホール管理装置５００に表示される画像の模擬図である。なお、図８（ｂ−２）に示す画像に表示される「Ｎо．」は、紙幣収納装置１００に付与された番号を意味する。ホール管理装置５００により表示される各情報（担当ＩＤなど）は、当該情報が記憶される紙幣収納装置１００の番号に対応して表示される。
【０１０４】
上述した通り、ホール管理装置５００には、予め記憶された担当者識別子Ｄｋ、紙幣情報Ｄｘおよび識別情報Ｄｙに応じた画像が表示される。具体的には、担当者識別子Ｄｋに応じた「担当者ＩＤ」、識別情報Ｄｙのうち店識別子Ｄｙ１に応じた「店ＩＤ」、島識別子Ｄｙ２に応じた「島ＩＤ」、装置識別子Ｄｙ３に応じた「装置ＩＤ」が携帯装置６００に表示される。また紙幣情報Ｄｘから特定される合計金額がホール管理装置５００に接続する表示部に表示される。
【０１０５】
例えば、上述の図６（ｂ−１）に示す画像が携帯装置６００に表示され、図６（ｂ−２）に示す画像がホール管理装置５００により表示された場合を想定する。以上の各画像から、ホール管理装置５００により各情報が表示された番号「Ｎо．１」の紙幣収納装置１００の装置ＩＤが、携帯装置６００に表示された装置ＩＤと一致する旨が特定される。以上の場合、番号「Ｎо．１」の紙幣収納装置１００の各情報が、携帯装置６００に表示された各情報と照合される。
【０１０６】
＜変形例＞
以上の各形態は多様に変形される。具体的な変形の態様を以下に例示する。以下の例示から任意に選択された２以上の態様は適宜に併合され得る。
【０１０７】
（１）各形態において、遊技用装置４００からの入金情報が、警送会社Ｙの管理コンピュータ８０へ送信される構成としてもよい。当該変形例において、管理コンピュータ８０までの通信経路において、入金情報が暗号化される構成が好適である。
【０１０８】
また、当該変形例において、遊技用装置４００から管理コンピュータ８０へ、当該遊技用装置４００を識別可能な情報が送信される構成が好適である。当該変形例では、例えば、管理コンピュータ８０が遊技用装置４００から受信した各情報から、紙幣収納装置１００に収納された合計金額を算出できる。また、管理コンピュータ８０が算出した合計金額と、計数装置７０が実際に計数した合計金額とを照合できる。
【０１０９】
（２）各形態において、紙幣収納装置１００の構造は適宜に変更できる。例えば、移送担当者Ｋが握持可能な握持部を紙幣収納装置１００に設けても良い。なお、紙幣収納装置１００（箱部材１２）の各面のうち、握持部が設けられる面にＲＦタグ１１が設けられる構成が好適である。また、紙幣収納装置１００には、紙幣を取込む取込み口が設けられる。金庫ユニットＵから紙幣収納装置１００が取外された状態で紙幣収納口１００の取込み口を塞ぐシャッター部材を当該紙幣収納装置１００に設けても良い。
【０１１０】
（３）各形態において、ＲＦタグ１０２と携帯装置６００との間で送受信される情報が暗号化される構成としても良い。当該変形例によれば、ＲＦタグ１０２と携帯装置６００との間で送受信される情報が盗聴されたとしても、当該情報が悪用される不都合が抑制される。
【０１１１】
当該変形例としては、携帯装置６００およびＲＦタグ１０２が共通の鍵情報（秘密鍵）を記憶する構成が考えられる。当該構成において、携帯装置６００は、情報（例えば、担当者識別子Ｄｉ）を送信する際に、当該情報を鍵情報を用いて暗号化する。また、ＲＦタグ１０２は、携帯装置６００
【０１１２】
また、当該変形例では、ＲＦタグ１０２は、受信した情報を鍵情報を用いて復号し、当該情報が正当であるか否かを判断する。仮に、正当な情報ではない場合、ＲＦタグ１０２は、当該情報を破棄し、記憶部１０３に記憶される情報を送信（返信）しない。以上の構成では、携帯装置６００（移送担当者Ｋ）が実質的に認証される。携帯装置６００は、受信した情報を鍵情報を用いて復号する。
【０１１３】
（４）第１実施形態では、紙幣取扱システムＳの各構成のうち紙幣収納装置１００および紙幣管理装置２００が共通の金庫ユニットＵに設けられる構成を採用した。しかし、紙幣収納装置１００および紙幣管理装置２００が別々の装置に設けられる構成としてもよい。
【０１１４】
（５）各形態では、紙幣収納装置１００の移送担当者Ｋとして、警送会社Ｙの従業員を想定した。しかし、移送担当者Ｋは、警送会社Ｙの従業員に限定されない。例えば、移送担当者Ｋとして、遊技場Ｘの従業員を採用しても良い。
【０１１５】
また、各形態では、紙幣収納装置１００の移送先として警送会社Ｙを採用したが、他の移送先を採用しても良い。例えば、紙幣収納装置１００が遊技場ＸのホールＨからバックヤードＢへ移送される構成としてもよい。以上の構成において、バックヤードＢにおいて、紙幣収納装置１００から紙幣が取出され計数される構成としてもよい。
【０１１６】
（６）各形態では、本発明の「紙葉」の一例としての紙幣を収納する紙幣収納装置を示したが、紙幣に限らず、有価証券、チケット、投票用紙、封筒、その他種々の紙葉を収納する装置であってもよい。
【０１１７】
＜本実施形態の態様例の作用、効果のまとめ＞
＜第１態様＞
本態様の紙葉収納装置（１００）は、複数の遊技用装置（４００）に挿入された紙葉が収納される可搬型の紙葉収納装置であって、各種の情報を記憶する記憶部（１０３）と、情報を無線通信により携帯装置へ送信可能な無線通信部（１０４）とを具備する。本態様によれば、紙葉収納装置が記憶する情報を簡単に読出し可能になる。
【０１１８】
＜第２態様＞
本態様の紙葉取扱システム（Ｓ）は、紙葉が収納される紙葉収納装置（１００）と、複数の遊技用装置（４００）に挿入された紙葉を自動で紙葉収納装置に収納可能にする紙葉管理装置（２００）とを具備する紙葉取扱システムであって、紙葉収納装置は、可搬型であり、各種の情報を記憶する記憶部（１０３）と、情報を無線通信により携帯装置（６００）へ送信可能な無線通信部（１０４）とを備える。
【０１１９】
以上の本態様によれば、第１態様と同様な効果が奏せられる。また、本態様によれば、複数の遊技用装置に挿入された紙葉が１個の紙葉収納装置に収納できる。したがって、例えば遊技用装置の各々に紙葉収納装置が設けられる構成と比較して、移送すべき紙葉収納装置の個数が削減されるという利点がある。
【０１２０】
＜第３態様＞
本態様の紙葉取扱システム（Ｓ）は、紙葉を挿入可能であり、挿入された紙葉に応じた入金情報を外部装置（ホール管理装置５００、管理コンピュータ８０）へ送信する複数の遊技用装置（４００）と、紙葉が収納される紙葉収納装置（１００）と、複数の遊技用装置に挿入された紙葉を自動で紙葉収納装置に収納可能にする紙葉管理装置（２００）とを具備する紙葉取扱システムであって、紙葉収納装置は、可搬型であり、各種の情報を記憶する記憶部（１０３）と、情報を無線通信により携帯装置（６００）へ送信可能な無線通信部（１０４）とを備える。以上の本態様によれば、第１態様と同様な効果が奏せられる。また、本態様によれば、遊技用装置からの入金情報を用いて、紙葉収納装置に収納された合計金額を算出できる。
【０１２１】
＜第４態様＞
本態様の紙葉取扱システム（Ｓ）は、紙葉収納装置は、施錠可能な金庫ユニット（Ｕ）に収納可能であり、紙葉管理装置は、金庫ユニットに紙葉収納装置が収納された状態で、遊技用装置に挿入された紙葉を自動で紙葉収納装置に収納可能にする。
【０１２２】
本態様によれば、遊技場の部外者が立入れない場所に紙葉収納装置を設置しない場合であっても、紙葉収納装置に対する不正行為が抑制される。仮に、紙葉収納装置が金庫ユニットに収納されない構成を想定する。以上の構成では、例えば、紙葉収納装置を遊技場の部外者が立入れない場所（遊技場のバックヤード等）に設置する必要がある。したがって、紙葉収納装置の移送を警送会社（遊技場の部外者）に委託する際に問題となる。本態様によれば、以上の問題が抑制される。
【０１２３】
＜第５態様＞
本態様の移送方法は、複数の遊技用装置（４００）に挿入された紙葉が収納される紙葉収納装置の移送方法であって、紙葉収納装置に収納された合計金額が特定できる紙葉情報（Ｄａ１またはＤａ２）を、紙葉収納装置から携帯装置（６００）を用いて無線通信により読み出すステップと、複数の遊技用装置から送信された入金情報に基づいて、紙葉収納装置に収納された合計金額を特定するステップと、紙葉情報から特定された合計金額と、入金情報から特定された合計金額とを照合するステップとを具備する。本態様によれば、第１態様およぎ第２態様と同様な効果が奏せられる。また、本態様によれば、紙葉情報から特定された合計金額と、入金情報から特定された合計金額とを照合することにより、紙葉情報から特定される合計金額の信頼性が向上するという利点がある。
【符号の説明】
【０１２４】
１００…紙幣収納装置、１０１…紙幣収納部、１０２…ＲＦタグ、１０３…記憶部、１０４…無線通信部、２００…紙幣管理装置、２０１…搬送制御部、２０２…記憶部、２０３…書込部、３００…紙幣搬送装置、４００…遊技用装置、５００…ホール管理装置、５０１…表示部、５０２…記憶部、５０３…制御部、６００…携帯装置、６０１…無線通信部、６０２…記憶部、６０３…表示部、６０４…制御部。
【要約】
【課題】紙葉収納装置の記憶部が記憶する情報を簡単に読出し可能にする。
【解決手段】紙葉収納装置は、各種の情報を記憶する記憶部と、情報を無線通信により携帯装置へ送信可能な無線通信部とを具備する。また、紙葉取扱システムは、以上の紙葉収納装置を具備するとともに、挿入された紙葉に応じた入金情報を外部装置へ送信する複数の遊技用装置、または／および、複数の遊技用装置に挿入された紙葉を自動で紙葉収納装置に収納可能にする紙葉管理装置を具備する。
【選択図】図２【図１】
0006793272.tif 000002
【図２】
0006793272.tif 000003
【図３】
0006793272.tif 000004
【図４】
0006793272.tif 000005
【図５】
0006793272.tif 000006
【図６】
0006793272.tif 000007
【図７】
0006793272.tif 000008
【図８】
0006793272.tif 000009